(57)【要約】【課題】本考案は、活水器自体のコンパクト化を図り、かつ、従来例に比べより優れた活水性能を発揮することができる斬新な活水器を提供する。【解決手段】本考案の活水機器１は、水流入管１１、水流出管６を備えた活水器本体２と、活水器本体２内で水流入管１１に添着した流通する水に赤外線作用を及ぼす赤外線板３１と、この活水器本体２内で赤外線板３１の外側に収納した流通する水を磁気処理する第１磁気ボックス２１Ａ、第２磁気ボックス２１Ｂと、マイナスイオンセラミックスボール、遠赤外線セラミックスボール、界面活性セラミックスボール、防錆セラミックスボール等の中から選定される一種又は複数種の組み合わせからなり、活水器本体２内に収納されて流通する水の表面張力、界面活性力等の物性を変え活性化するセラミックボール群１２と、を有する構成としたものである。【選択図】図１
0003188955.tif 000002
【実用新案登録請求の範囲】
【請求項１】
水流入管、水流出管を備えた活水器本体と、
この活水器本体内に収納した流通する水を磁気処理する磁気処理部と、
前記活水器本体内に収納した流通する水の物性を変え活性化するセラミックボール群と、
を有することを特徴とする活水器。
【請求項２】
水流入管、水流出管を備えた活水器本体と、
前記活水器本体内で水流入管に添着した流通する水に赤外線作用を及ぼす赤外線板と、
この赤外線板の外側に収納した流通する水を磁気処理する磁気処理部と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
を有することを特徴とする活水器。
【請求項３】
水流入管、水流出管を備えた活水器本体と、
前記活水器本体内で水流入管に添着した流通する水に赤外線作用を及ぼす赤外線板と、
この活水器本体内で前記赤外線板の外側に収納した水流入管内を流通する水を磁気処理する異磁極対向２段磁石配列の磁気処理部と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
前記活水器本体内を流通する水流の流路に配置した錆屑、ゴミ屑の異物の流通を阻止するパンチング板と、
を有することを特徴とする活水器。
【請求項４】
水流入管、水流出管を備えた活水器本体と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
前記活水器本体内の水流出管を挟む状態で収納され、水流出管内を流通する水を磁気処理する異磁極対向磁石配列の磁気処理部と、
を有することを特徴とする活水器。
【請求項５】
水流入管、水流出管を備えた活水器本体と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
前記活水器本体内の水流出管を磁気ヨーク板を介して挟む状態で収納され、水流出管内を流通する水を磁気処理する異磁極対向磁石配列の磁気処理部と、
前記活水器本体内を流通する水流の流路に配置した錆屑、ゴミ屑の異物の流通を阻止するパンチング板と、
を有することを特徴とする活水器。
【請求項６】
水流入管、水流出管を備えた活水器本体と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
前記活水器本体内で水流出管を挟み、かつ、磁極を水流出管に添着する状態で収納され、前記水流出管内を流通する水を磁気処理する異磁極対向２段磁石配列の磁気処理部と、
を有することを特徴とする活水器。
【請求項７】
水流入管、水流出管を備えた活水器本体と、
マイナスイオンセラミックスボール、遠赤外線セラミックスボール、界面活性セラミックスボール、防錆セラミックスボールの中から選定される一種又は複数種の組み合わせからなり、前記活水器本体内に収納されて流通する水の表面張力、界面活性力の物性を変え活性化するセラミックボール群と、
前記活水器本体内で水流出管を挟み、かつ、磁極を水流出管に添着する状態で収納され、前記水流出管内を流通する水を磁気処理する異磁極対向２段磁石配列の磁気処理部と、
前記活水器本体内を流通する水流の流路に配置した錆屑、ゴミ屑の異物の流通を阻止するパンチング板と、
を有することを特徴とする活水器。
【考案の詳細な説明】
【技術分野】
【０００１】
本考案は、優れた活水機能を発揮させつつ水使用機器への取り付けも容易なコンパクトにした活水器に関するものである。
【背景技術】
【０００２】
従来の水処理技術は、経済高度成長と大量の水消費に対応するため、薬品を使用する化学的処理によって行われてきたが、高度成長に伴う環境破壊が国際的な問題となっている現在では、企業においても、使用水及び排水処理に至るあらゆる分野での水処理の見直しが進められている。
【０００３】
このような水処理を行う水処理機器として、水中の残留塩素除去を行う浄水器、水使用機器へのスケール付着防止を行う軟水器、活水器等が知られている。
【０００４】
特許文献１には、筒体内に遠赤外線を放射するセラミックボールと、必要な強さの磁場を形成するマグネットユニットとを充填した構成の活水器が開示されている。
【０００５】
しかし、特許文献１の活水器の場合、筒体内のマグネットユニット、セラミックボールの収容領域が個別であり、このため筒体の長さが大きくなり、活水器のコンパクト化が難しいという問題がある。
【０００６】
また、特許文献１の場合、セラミックボールを複数種用いる構成ではあるが、これらを仕切板を介して個別に収容するものであるため、やはり筒体の長さが大きくなり、活水器のコンパクト化が難しいという問題がある。
【０００７】
特許文献２には、上記特許文献１の活水器の問題点に鑑み本願出願人が先に提案し登録を得ている活水器が開示されている。
【０００８】
特許文献２の活水器は、円筒状の水流入口及び水流出口を備えるとともに、水流入口及び水流出口の部分以外を閉塞した円筒状でステンレス製の活水器本体と、活水器本体内に収納した内部を流通する水を活性化するセラミックボール群と、を有する構成としたものである。
【先行技術文献】
【特許文献】
【０００９】
【特許文献１】特開２００２−０１１４７９号公報
【特許文献２】登録実用新案第３１００４２２号
【考案の開示】
【考案が解決しようとする課題】
【００１０】
本考案は、上記のような事情に鑑みて開発されたものであり、活水器自体のコンパクト化を図り、かつ、特許文献２の活水器よりも更に優れた活水性能を発揮させることができる斬新な活水器を提供せんとするものである。
【課題を解決するための手段】
【００１１】
本考案に係る活水器は、水流入管、水流出管を備えた活水器本体と、この活水器本体内に収納した流通する水を磁気処理する磁気処理部と、前記活水器本体内に収納した流通する水の物性を変え活性化するセラミックボール群と、を有することを最も主要な特徴とする。
【考案の効果】
【００１２】
請求項１記載の考案によれば、水を磁気処理する磁気処理部と、流通する水道水等の水の物性を変え活性化するセラミックボール群とを活水機器本体に収納したコンパクトな構成で、流通する水の活性酸素の働きを抑えて、スケール除去作用を発揮し、更に、水質（ミネラル、イオン）自体を改質せず、水本来の物性、すなわち表面張力、界面活性力等の物性に変化を与え、活性化して有効な活水機能を発揮させることができる活水器を実現し提供することができる。
【００１３】
請求項２記載の考案によれば、請求項１記載の考案と同様な効果を発揮し、加えて、水に赤外線作用を及ぼす赤外線板を備えることから、磁気処理の効果と相まって水に含まれている細菌類を不活化或いは死滅させる効果をも発揮させることができる活水器を実現し提供することができる。
【００１４】
請求項３記載の考案によれば、請求項２記載の考案と同様な効果を発揮し、加えて、パンチング板による異物の流通を阻止する効果をも奏する活水器を実現し提供することができる。
【００１５】
請求項４記載の考案によれば、異磁極対向磁石配列構造で水を磁気処理する磁気処理部と、流通する水道水等の水の物性を変え活性化するセラミックボール群とを活水機器本体に収納したコンパクトな構成の基に、流通する水の活性酸素の働きを抑えて、スケール除去作用を発揮し、更に、水質（ミネラル、イオン）自体を改質せず、水本来の物性、すなわち表面張力、界面活性力等の物性に変化を与え、活性化して有効な活水機能を発揮させることができる活水器を実現し提供することができる。
【００１６】
請求項５記載の考案によれば、請求項４記載の考案によれば、請求項２記載の考案と同様な効果を発揮し、加えて、パンチング板による異物の流通を阻止する効果をも奏する活水器を実現し提供することができる。
【００１７】
請求項６記載の考案によれば、異磁極対向２段磁石配列構造で水を磁気処理する磁気処理部と、流通する水道水等の水の物性を変え活性化するセラミックボール群とを活水機器本体に収納したコンパクトな構成の基に、流通する水の活性酸素の働きを抑えて、スケール除去作用を発揮し、更に、水質（ミネラル、イオン）自体を改質せず、水本来の物性、すなわち表面張力、界面活性力等の物性に変化を与え、活性化して有効な活水機能を発揮させることができる活水器を実現し提供することができる。
【００１８】
請求項７記載の考案によれば、請求項６記載の考案によれば、請求項４記載の考案によれば、請求項２記載の考案と同様な効果を発揮し、加えて、パンチング板による異物の流通を阻止する効果をも奏する活水器を実現し提供することができる。
【図面の簡単な説明】
【００１９】
【図１】図１は本考案の実施例１に係る活水器の概略縦断面図である。
【図２】図２は図１のＡ−Ａ線概略断面図である。
【図３】図３は本実施例１に係る活水器に設けた磁石・遠赤外線板ユニットによる水に対する磁気作用を模式的に示す説明図である。
【図４】図４は通常の水と活性水との表面張力の相違を示すグラフである。
【図５】図５は通常の水と活性水と表面張力の相違を示す説明図である。
【図６】水道水から活性水への細分化を示す説明図である。
【図７】通常の水、活性水におけるスケールの剥離メカニズムの説明図である。
【図８】図８は本実施例１に係る活水器の具体的使用状態の概略配管図である。
【図９】図９は本考案の実施例２に係る活水器の概略縦断面図である。
【図１０】図１０は図９のＢ−Ｂ線概略断面図である。
【図１１】図１１は本考案の実施例３に係る活水器の概略縦断面図である。
【図１２】図１２は図１１のＣ−Ｃ線概略断面図である。
【考案を実施するための形態】
【００２０】
本考案は、活水器自体のコンパクト化を図り、かつ、従来例に比べより優れた活水性能を発揮することができる斬新な活水器を提供するという目的を、水流入管、水流出管を備えた活水器本体と、前記活水器本体内で水流入管に添着した流通する水に赤外線作用を及ぼす赤外線板と、この活水器本体内で赤外線板の外側に収納した流通する水を磁気処理する磁気処理部と、マイナスイオンセラミックスボール、遠赤外線セラミックスボール、界面活性セラミックスボール、防錆セラミックスボール等の中から選定される一種又は複数種の組み合わせからなり、前記活水器本体内に収納されて流通する水の表面張力、界面活性力等の物性を変え活性化するセラミックボール群と、を有する構成により実現した。
【実施例】
【００２１】
以下、本考案の実施例１に係る活水器について詳細に説明する。
【００２２】
（実施例１）
本実施例１に係る活水器１は、図１、図２に示すように、ステンレス製で上部が開口した円筒状に形成されるとともに、上端部に円板状のフランジ部３を有し、底部側を中央部の底孔４を除き閉塞した活水器本体２と、ステンレス製で中央部に活水器本体２からの水を外部に流出させる水流出管６を突出し、前記活水器本体２にパッキン７を介して結合される円板状の蓋体５と、前記活水器本体２内を上下配置に仕切る円板状で、かつ、中央部に円形孔部８ａを設け、活水器本体２内を上部収容室９、下部収容室１０に区画する仕切り板８と、前記活水器本体２の前記底孔４を貫通して前記仕切り板８の円形孔部８ａの位置に上端部を臨ませた状態でこの活水器本体２に固着されるとともに、活水器本体２の下方に下端部を突出させた円筒状に形成されており、下端部側から活水器本体２内に水（水道水）を水流として流入させる水流入管１１と、前記上部収容室９に収納した内部を流通する水を活性化するセラミックボール群１２と、前記下部収容室１０に収納した内部を流通する水に磁気作用、遠赤外線作用を及ぼす磁石・遠赤外線板ユニット１３と、を有している。
【００２３】
更に、前記水流入管１１の上端開口部分に装着した多数の小孔を穿設した第１パンチング板１４と、前記水流出管６の上部収容室９に臨む下端の開口部分に装着した多数の小孔を穿設した第２パンチング板１５と、を具備している。
【００２４】
前記円板状の蓋体５と、活水器本体２のフランジ部３とは、同一外径寸法で、蓋体５を円形のパッキン７を介在させつつフランジ部３に被せ、ネジ（又はポルト）１６により前記蓋体５をフランジ部３に一体的に連結するように構成している。
【００２５】
前記第１パンチング板１４、第２パンチング板１５は、比較的大きめの錆屑、ゴミ屑等のような異物の流入、流通を阻止するためのものである。
【００２６】
前記水流出管６、水流入管１１の端部には、ネジ結合用のネジ６ａ、１１ａを各々設けている。
【００２７】
前記セラミックボール群１２としては、詳細は後述するが、マイナスイオンセラミックス、遠赤外線セラミックス、界面活性セラミックス、防錆セラミックスを各々粒状（ボール状）としたものの中から任意に選定される一種又は複数種の組み合わせから選定されるセラミックボール群を使用する。
【００２８】
前記磁石・遠赤外線板ユニット１３は、下部収容室１０内の水流入管１１を両側から挟むように配置した一対構成としている。
【００２９】
すなわち、前記磁石・遠赤外線板ユニット１３は、図１、図２に示すように、第１磁気ボックス２１Ａ、第２磁気ボックス２１Ｂと、平坦な２枚の遠赤外線板３１とを組み合わせて構成している。
【００３０】
第１磁気ボックス２１Ａは、直方体箱型状で長辺の一方側の端面を開口した磁気ヨーク体２２と、この磁気ヨーク体２２内に上下配置に収納配置した例えば２個の磁石（例えば、ネオジウム磁石：以下同様）２３Ａ、２４Ａとを具備し、上側の磁石２３ＡのＮ磁極端面を磁気ヨーク体２２の開口端面と略面一にし、Ｓ磁極端面を磁気ヨーク体２２の内壁面に接合固着している。また、下側の磁石２４ＡのＳ磁極端面を磁気ヨーク体２２の開口端面と略面一にし、Ｎ磁極端面を磁気ヨーク体２２の内壁面に接合固着している。
【００３１】
一方、第２磁気ボックス２１Ｂは、上述した場合と同様な構造の磁気ヨーク体２２と、この磁気ヨーク体２２内に上下配置に収納配置した２個の磁石２３Ｂ、２４Ｂとを具備し、上側の磁石２３ＢのＳ磁極端面を磁気ヨーク体２２の開口端面と略面一にし、Ｎ磁極端面を磁気ヨーク体２２の内壁面接合固着し、下側の２４ＢのＮ磁極端面を磁気ヨーク体２２の開口端面と略面一にし、Ｓ磁極端面を磁気ヨーク体２２の内壁面に接合固着している。
【００３２】
そして、一枚の遠赤外線板３１を前記水流入管１１の外面に添着し、更に第１磁気ボックス２１Ａの開口端面側を遠赤外線板３１に密接固着し、反対側の端面隅部を活水器本体２の内壁面に固着することにより、図１に示すように、第１磁気ボックス２１Ａ及び遠赤外線板３１を前記下部収容室１０内で固定配置するように構成している。
【００３３】
同様に他の一枚の遠赤外線板３１を、前記水流入管１１における前記一枚の遠赤外線板３１に対して水流入管１１の反対側となる配置での外面に添着し、更に第２磁気ボックス２１Ｂの開口端面側を前記遠赤外線板３１に密接固着し、反対側の端面隅部を活水器本体２の内壁面に固着することにより、図１に示すように、第２磁気ボックス２１Ｂ及び前記遠赤外線板３１を前記下部収容室１０内で前記水流入管１１を挟んで対称配置に固定配置するように構成している。
【００３４】
これにより、第１磁気ボックス２１Ａにおける上側の磁石２３ＡのＮ磁極と、第２磁気ボックス２１Ｂにおける上側の磁石２３ＢのＳ磁極とが前記水流入管１１を挟んで対向し、また、第１磁気ボックス２１Ａにおける下側の磁石２４ＡのＳ磁極と、第２磁気ボックス２１Ｂにおける下側の磁石２４ＢのＮ磁極とが前記水流入管１１を挟んで対向するように構成している。
【００３５】
また、上述した構成により、第１磁気ボックス２１Ａにおいては、図３に示すように、上側の磁石２３ＡのＮ磁極からの磁力線は、前記水流入管１１内の水に作用し、磁気ヨーク体２２の上片（Ｓ磁極として機能）に至る磁路及び下側の磁石２４ＡのＳ磁極に至る磁路を形成し、また、磁気ヨーク体２２の下片（Ｎ磁極として機能）からの磁力線も下側の磁石２４ＡのＳ磁極に至る磁路を形成し、更に前記、磁気ヨーク体２２は磁気整流回路として機能することになり、磁石２３Ａ、磁石２４Ａにより水に対して磁界による効果的な作用を及ぼしつつ活水器本体２外への磁気漏洩も最小限に防止することができる。
【００３６】
更に、第１磁気ボックス２１Ａの上側の磁石２３ＡのＮ磁極からの磁力線は、前記水流入管１１内の水に作用し、第２磁気ボックス２１Ｂの上側の磁石２３ＢのＳ磁極に至る磁路も形成する。
【００３７】
同様に、第２磁気ボックス２１Ｂにおいては、図３に示すように、下側の磁石２４ＢのＮ磁極からの磁力線は、前記水流入管１１内の水に作用し、磁気ヨーク体２２の下片（Ｓ磁極として機能）に至る磁路及び上側の磁石２３ＢのＳ磁極に至る磁路を形成し、また、磁気ヨーク体２２の上片（Ｎ磁極として機能）からの磁力線も下側の磁石２４ＢのＳ磁極に至る磁路を形成し、更に前記磁気ヨーク体２２は磁気整流回路として機能することになり、磁石２３Ｂ、磁石２４Ｂにより水に対して効果的な磁界による作用を及ぼしつつ活水器本体２外への磁気漏洩も最小限に防止することができる。
更に、第２磁気ボックス２１Ｂにおける下側の磁石２４ＢのＮ磁極からの磁力線は、前記水流入管１１内の水に作用し、第１磁気ボックス２１Ａにおける下側の磁石２４ＡのＳ磁極に至る磁路も形成する。
【００３８】
次に、上述した構成からなる本実施例１に係る活水器１の水に対する磁気処理、遠赤外線作用の具体的作用、効果について説明する。
【００３９】
前記活水器本体２内に水流入管１１を経て水（例えば水道水）を水流として流すことにより、前記磁石・遠赤外線板ユニット１３の第１磁気ボックス２１Ａ、第２磁気ボックス２１Ｂによる磁気及び前記２枚の遠赤外線板３１からの遠赤外線による作用が水流に対して及ぼされる。
【００４０】
このうち、磁気作用としては、必ずしも明確ではないが、水流がある速度で磁界を通過するとき、水分子の磁気モーメントと、磁界とが相互作用により水分子が励起され、その結果、不安定な活性状態が作り出されるためと推定されている。
【００４１】
また、ファラデーの電磁誘導の法則による変化が起こり、水の分子が少なくなり、水の活性状態を作り出し、浸透力、溶解力を高め酸化還元、酸化抑制作用の働きをするようになり、水流入管１１の内壁のカルシウム、シリカ等のスケール成分と反応しこれらを除去する作用があると推定されている。
【００４２】
このようにして、活水器１により磁気処理された水は、還元作用が働き、活性酸素の働きを抑えて、スケール除去作用や、水中の細菌類（バクテリア、藻類等）に対する抑制作用を及ぼす効果を発揮すると推定される。
【００４３】
また、前記２枚の遠赤外線板３１による遠赤外線作用としては、遠赤外線のエネルギーを受けて水分子同士の水素結合が分断（細分化）されると、ガスや溶存酸素、窒素が弾き出され、水分子の体積収縮現象により細菌類も弾き出されると考えられる。
【００４４】
そして、細菌類（生命維持に酸素を必要とする腐敗菌、一般細菌、大腸菌等）は酸欠状態に陥り不活化或いは死滅するものと想像される。
【００４５】
すなわち、遠赤外線作用としては、磁気処理の効果と相まって水に含まれている細菌類を不活化或いは死滅させるという効果を発揮するものと推定される。
【００４６】
次に、前記セラミックボール群１２の作用、効果について詳述する。
【００４７】
前記セラミックボール群１２のうちのマイナスイオンセラミックスは、放射線であるα線、β線を微量に発生させて、電離作用（イオン化）を引き起すセラミックスである。
このとき生じるマイナスイオンの作用により活性酸素を抑制し、体内細胞の活性を促進する。お風呂に入れておくだけで、ラジウム・ラドン温泉と同様の効果が得られる。
【００４８】
遠赤外線セラミックスは、遠赤外線効果のある最高の素材をブレンドすることで、常温でも相当の遠赤外線を放射し、上述した場合と同様な効果を発揮する。
【００４９】
また、後述する界面活性セラミックスを組み合わせることにより、水の分子集合体を小さくし安定させる働きを高める効果が得られる。
【００５０】
界面活性セラミックスは、０．０６ｍＡの微弱電流を作り出して、遠赤外線セラミックスボールから出る遠赤外線と合わせて水分子（クラスター）を小さくし、ｐＨを上げアルカリイオン水を生成する。
【００５１】
前記防錆セラミックスは、シリカ、アルミナ、マグネシアを主成分とした多機能素材をブレンドしたセラミックスである。イオン交換性によりスケールの主成分であるカルシウムを除去する。これにより、配管内の酸化反応を起こりにくくし、錆の発生を抑制する。
【００５２】
この他、セラミックスボールとしては、塩素除去セラミックスボール、ｐＨ調整セラミックスボール、抗菌セラミックスボール等を使用することができる。
【００５３】
また、セラミックスの一般的な特徴としては、
（１）電磁特性を持つ。
（２）耐摩擦性である。
（３）吸着性がない。
（４）高耐久性。
（５）天然石原料。
（６）高硬度。
等を挙げることができる。
【００５４】
図８は本実施例１の活水器１の実際の使用時の配管図を示すものであり、例えば上水道の配管３１を、バルブ３２を経て活水器１の水流入管１１に接続し、活水器１の水流出管６から水使用機器（例えばコーヒーサーバー等）３３に配管３４を接続して、活水器１にて活性化した水を水使用機器３４に供給するものである。
【００５５】
次に、本実施例１の活水器１における前記セラミックボール群１２の作用、効果について更に具体的に説明する。
【００５６】
活水器本体２内に水（例えば水道水）を流すことにより、セラミックボール群１２の個々のセラミックボールが活水器本体２内で流動運動を始める。この流動運動の過程でセラミックボールは互いにぶつかり合いながら電気的エネルギー（焦電エネルギー、圧電エネルギー、摩擦電気エネルギー）を発生する（流動電解方式）。
【００５７】
ここで、焦電とは、セラミックの表面と水の温度差、セラミック内部とセラミック表面の温度差によって、電子がセラミックの外部に飛び出し、近くにある水等の液体に対して、なんらかの影響を与える作用をいう。
【００５８】
また、圧電とは、セラミックの中を通過する水の圧力の変動、流動運動により電気を発生する作用をいう。
【００５９】
更に、摩擦電気とは、セラミック同士の衝撃や摩擦、セラミックと水の摩擦により、発生する微量の電気をいう。
【００６０】
上述したようなセラミックボール群１２の流動により発生した３種の電気エネルギーは、僅か数秒間に帯電、放電を数万回行い、活水器本体２内を流通する水をその物性が変化した活性水へと変える。
【００６１】
本実施例１の活水器１は、水の水質（ミネラル、イオン）自体を改質せず、水本来の物性に変化を与える物質処理装置である。活水器１内で物質処理された水は活性化し、以下のような機能を発揮する水に変わる。
【００６２】
本実施例１の活水器１による物性変化の１つに水の表面張力の低下がある。表面張力の低下は、一方で、界面活性効果が上がることを意味する。界面活性効果が上がることで、高い浸透性や洗浄効果がもたらされる。
【００６３】
図４、図５に示すように、通常の水道水（２０℃前後）の表面張力は、７２（ｄｙｎ／ｃｍ）程度であるが、本実施例１の活水水器１を通過した水は、５５〜６０（ｄｙｎ／ｃｍ）程度に表面張力が低下する。約９０℃のお湯と同程度の界面活性効果、つまり洗浄性を発揮することができる。
【００６４】
また、図６、図７に示すように、活性化され、細分化された水は、界面活性力の向上により、スケール２０の空洞や汚れの間に浸透し、更に膨張して行き、それらを剥離・除去していく効果がある。
【００６５】
このようにして、スケール２０の空洞や汚れの間に浸透した活性水の膨張により、スケール２０、錆等の汚れは剥離し、配管内の水流によって徐々に排出され除去される。
【００６６】
以下に本実施例１の活水器１による水の活性化による界面活性効果、スケールの防止効果、除錆・防錆効果、脱臭効果、洗浄効果について更に詳述する。
【００６７】
界面活性効果；活水器１による得られる活性水は、表面張力が低下することにより界面活性力を増す。界面活性力は、洗剤の役割を持っていることが知られている。
分子が小さくなった水は、山の水と同じ洗浄力を持っている。山の水は洗剤を使わなくても水そのものに洗浄力があるので、食器等の汚れを落す。このように、水そのものが少しでも界面活性力が増すことで、スケール等の汚れを落とす効果を発揮する。
【００６８】
スケールの防止効果；スケールを除去するメカニズムと、防止するメカニズムとは別の働きである。水中のカルシウムイオンは別の物質との化学反応によって、スケール化する。そこでスケール化しない条件としては、カルシウムイオンをそのまま電気的に安定させることである。活水器１の中でセラミックボール群１２が流動電解を起す。
この流動電解処理をしている中で個々のセラミックボールは電気を帯びていくが、セラミックボールは電気を帯びるだけでなく、同時に電子の放電も行う。カルシウムイオンは、イオンのままでは不安定であるが、別の物質と化学反応を起こして安定しようとする。この化学反応により安定したものが、スケールとなる。
【００６９】
活性水は、既述したように水の分子構造が小さくなると同時に、界面活性力も増加する。この分子構造が小さくなった水は、カルシウムイオンが他の物質と化学反応を起さないように、カルシウムイオンの回りを水の分子で取り囲み、他の物質を寄せ付けないようにする。
【００７０】
除錆・防錆効果；活水器の流動電解によって、水は酸化還元作用を起す。錆が除去されるのは、この酸化還元作用によって除錆をし、酸化鉄（赤錆）を鉄イオンと酸素とに還元する。この還元と同時に、活性水は酸化作用による酸化還元被膜（Ｆｅ３Ｏ４）を形成し、錆の進行を抑えていく。このように、除錆と酸化還元作用は同時に行われているので、水の中の赤錆は成長と破壊の繰り返しの状態にあるが、錆の成長スピードより酸化還元による防錆のスピードがいために錆の発生を防ぐ。
【００７１】
また、活水器１による流動電解によって酸化還元作用が起こることにより除錆を行うが、どこまでも錆を剥離していくわけでない。錆の剥離が終わった鉄の表面には、酸化被膜が形成されるので、その部分の錆の進行は止まる。つまり、錆によって錆びを止める防錆効果である。
【００７２】
脱臭効果；臭いは、ガスとなり、気体となって初めて臭うことになる。一般的に私たちの生活の中で感じる臭いは、水道水のカルキ（残留塩素）の臭いか、トイレで感じるアンモニア等の臭いが殆どである。
【００７３】
この活水器１により得られる活性水による脱臭力は、それらの臭いの原因となっている物質を気化しにくいように、細分化された水の分子が臭い成分を包み込み、反応しないように安定させことによる。水の環境は常に変化しており、なんらかの影響を受けて化学反応を起こし、いろいろな臭いを発生させるが、通常の水と比べても活性水のほうが臭い成分を安定し、長時間保持できる。
【００７４】
洗浄効果；活水器１により得られる活性水は、既述したように水の界面活性力が増加している。簡単に言うと水に界面活性剤（洗剤）を少し投入したのと同じ状態となる。通常の汚れは物体にしっかりと密着しているのではなく、軽く付着している状態であるで、界面活性力のある活性水は汚れの間に浸透していき、比較的簡単に汚れを落とすことができる。
【００７５】
以上説明した本実施例１の活水器１によれば、水に対するイオンやミネラルなどの添加、除去といった作用は一切行わず、水本来の水質を損なうことなく表面張力等の特定の物性を変化させるという水の活性化を簡略な構成で的確に行うことができる。
【００７６】
また、本実施例１の活水器１は、以下のような実用的効果を奏する。
（１）エネルギーコストの低減。
（２）スケール除去による水系統機器の延命。メンテナンスの低減。
（３）無公害で環境にやさしい（薬剤は一切使用しない）。
（４）セラミックスの寿命が長い（１０年以上）。
（５）コンパクト設計が可能である。
【００７７】
図８は本実施例１の活水器１の実際の使用時の配管図を示すものであり、例えば上水道の配管を、バルブ３２を経て活水器１の水流入管１１に接続し、活水器１の水流出管６から水使用機器（例えばコーヒーサーバー等）３３に配管３４を接続して、活水器１にて活性化した水を水使用機器３３に供給するものである。
【００７８】
本実施例１の活水器１の具体的用途、効能としては、
（１）給排水管の錆除去と防止。
（２）温泉スケールの除去と防止（カルシウム、シリカ等のスケール除去と防止）。
（３）厨房床のヌメリ除去と防止。
（４）空調機（クーリングタワー）のスケール除去と防止及び薬品等の不使用促進。
（５）トイレの尿石除去と防止。脱臭効果（アンモニアガス臭、塩素臭）。
（６）生活用水の改善（台所、浴槽）。
（７）ボイラーのスケール除去と防止及び軟水器、清缶剤の不使用。
（８）産業機器等の冷却水の改善（冷却装置の冷却効果、洗浄機の延命効果）。
（９）プール用水の改善。
（１０）印刷用湿し水の改善。
（１１）農業用水の改善（植物の生育促進、池のアオコ対策）。
等を挙げることができる。
【００７９】
前記（８）の産業機器の具体例としては、図示していないが、電解整水器（電解槽へのスケール付着防止）、食器洗浄機（スケール付着防止及び、洗剤、リンス剤の軽減、機器の延命効果）、温蔵庫（スケール付着防止）、蒸し器（スケール付着防止及び食材の味の向上）、茹で麺器（スケール付着防止）、給茶機（タンク内のスケール付着防止及び、味の向上）、コーヒーマシン（ヒーターへのスケール付着防止及び、味の向上）、ティーサーバー（スケールの付着防止、メンテナンス軽費削減）、貯湯式湯沸機（スケールの付着防止、耐用年数長期化）等を挙げることができる。
【００８０】
（実施例２）
次に、図９、図１０を参照して本考案の実施例２に係る活水器１Ａについて説明する。
なお、本実施例２に係る活水器１Ａにおいて、実施例１に係る活水器１の場合と同一の要素には同一符号を付し、その詳細説明は省略する。
【００８１】
本実施例２に係る活水器１Ａは、図９、図１０に示すように、実施例１に係る活水器１の場合とは逆に活水器１Ａを構成する活水器本体２Ａ内の下段側にセラミックボール群１２を、上段側に磁石ユニット４１Ａを配置したことが特徴である。
【００８２】
本実施例２の活水器１Ａは、ステンレス製で上端中央部、下端中央部の上孔４２、底孔４３を除き閉塞した活水器本体２Ａを具備している。
【００８３】
また、前記活水器１Ａは、前記活水器本体２Ａ内を上下配置に仕切る円板状で、かつ、中央部に円形孔部４４ａを設け、活水器本体２Ａ内を上部収容室４５、下部収容室４６に区画する例えばエポキシ樹脂等からなる仕切り板４４と、前記活水器本体２Ａの底孔４３に装着した下端部側から活水器本体２Ａ内に水（水道水）を水流として流入させる例えばニップルのような水流入管４７と、前記活水器本体２Ａの上孔４２を貫通させ仕切り板４４の円形孔部４４ａの位置で下端側開口を前記下部収容室４６に臨ませ、更に上端側を活水器本体２Ａの上方に突出させた水流出管４８と、前記下部収容室４６に収納した内部を流通する水を活性化する実施例１の場合と同様なセラミックボール群１２と、前記上部収容室４５に収納した磁石ユニット４１と、を有している。
【００８４】
更に、前記水流入管４７の上端開口部分に装着した多数の小孔を穿設した第１パンチング板４９と、前記水流出管４８の下端の開口部分に装着した多数の小孔を穿設した第２パンチング板５０と、を有している。
【００８５】
前記水流入管４７、水流出管４８の端部には、ネジ結合用のネジ４７ａ、４８ａを各々設けている。
【００８６】
前記磁石ユニット４１Ａは、上部収容室４５内の水流出管４８を両側から挟むように配置した一対構成としている。
【００８７】
すなわち、前記磁石ユニット４１Ａは、図９、図１０に示すように、水流出管４８を挟んで平行・対称構造の第１磁気ボックス５１Ａ、第２磁気ボックス５１Ｂにより構成している。
【００８８】
第１磁気ボックス５１Ａは、直方体箱型状で長辺の一方側の端面を開口した磁気ヨーク体５２と、この磁気ヨーク体５２内に配置した例えば磁石（例えば、ネオジウム磁石：以下同様）５３Ａとを具備し、磁気ヨーク体５２の閉塞した他方の端面を水流出管４８の外面に密着させるとともに、磁石５３ＡのＮ磁極側を水流出管４８の外面側に向け、Ｓ磁極側を磁気ヨーク体５２の開口した端面から少し水流出管４８の内壁側に露出する状態で磁気ヨーク体５２に接合している。
【００８９】
一方、第２磁気ボックス５１Ｂは、直方体箱型状で長辺の一方側の端面を開口した磁気ヨーク体５２と、この磁気ヨーク体５２内に配置した例えば磁石（例えば、ネオジウム磁石：以下同様）５３Ｂとを具備し、磁気ヨーク体５２の閉塞した他方の端面を水流出管４８の外面に密着させるとともに、磁石５３ＢのＳ磁極側を水流出管４８の外面側に向け、Ｎ磁極側を磁気ヨーク体５２の開口した端面から少し水流出管４８の内壁側に露出する状態で磁気ヨーク体５２に接合している。
そして、第１磁気ボックス５１Ａ、第２磁気ボックス５１Ｂの各磁気ヨーク体５２の開口した端面側の両隅部を前記水流出管４８の内壁部に各々連結することで、これら第１磁気ボックス５１Ａ、第２磁気ボックス５１Ｂを前記水流出管４８内において定位置に固定支持するように構成している。
【００９０】
本実施例２に係る活水器１Ａにおいては、前記磁石ユニット４１Ａにおける磁石５３ＡのＮ磁極から前記水流出管４８の水流を経て磁石５３ＢのＳ磁極に至る磁路が形成され、これにより、水流に対して実施例１の活水器１の場合と略同様な磁化作用を及ぼすことができる。
【００９１】
また、両磁気ヨーク体５２は各々磁気整流作用を発揮し、活水器本体２Ａ外への磁気漏洩も最小限に防止することができる。
【００９２】
本実施例２に係る活水器１Ａによれば、活水器本体２Ａの下段側にセラミックボール群１２を、上段側に磁石５３Ａを用いた第１磁気ボックス５１Ａ、磁石５３Ｂを用いた第２磁気ボックス５１Ｂからなる２個の磁石対向配列構造の磁石ユニット４１Ａを配置した構成の基に、実施例１の前記遠赤外線板３１による遠赤外線作用の点を除き、実施例１の活水器１の場合と略同様な作用、効果を発揮させることができる。
【００９３】
（実施例３）
次に、図１１、１２を参照して本考案の実施例３係る活水器１Ｂについて説明する。
【００９４】
なお、本実施例３係る活水器１Ｂにおいて、実施例２に係る活水器１Ａの場合と同一の要素には同一符号を付し、その詳細説明は省略する。
【００９５】
本実施例３に係る活水器１Ｂは、図１１、図１２に示すように、実施例２に係る活水器１Ａと略同様に、活水器１Ｂを構成する活水器本体２Ｂ内の下段側にセラミックボール群１２を、上段側に磁石ユニット４１Ｂを配置したものであるが、磁石ユニット４１Ｂを実施例２の磁石ユニット４１Ａとは異なる構成としている。
【００９６】
本実施例３の活水器１Ｂは、ステンレス製で上端中央部、下端中央部の上孔６２、底孔６３を除き閉塞した活水器本体２Ｂと、活水器本体２Ｂ内の下部に収納した内部を流通する水を活性化する実施例１の場合と同様なセラミックボール群１２と、活水器本体２Ｂ内の上部に収納した磁石ユニット４１Ｂと、活水器１Ｂの底孔６３に装着した下端部側から活水器本体２Ａ内に水（水道水）を水流として流入させる水流入管６１と、前記活水器本体２Ｂの上孔６２を貫通させ上端側を活水器本体２Ｂの上方に突出させるとともに、下端側を磁石ユニット４１Ｂ内を経て前記セラミックボール群１２の上方に臨ませた水流出管６４と、前記水流入管６１の上端開口部分に装着した多数の小孔を穿設した第１パンチング板６５と、前記水流出管６４の下端の開口部分に装着した多数の小孔を穿設した第２パンチング板６６と、を有している。
【００９７】
前記磁石ユニット４１Ｂは、活水器本体２Ｂ内の上部において水流出管６４が縦方向中心部を経て底板部７２の中心孔７３を貫通するように配置したエポキシ樹脂等からなる磁石収納筒体７１と、この磁石収納筒体７１内で前記水流出管６４を両側から挟むように、かつ、水流出管６４を挟んで対称配置した一対構成の第１磁気ユニット７４Ａ、第２磁気ユニット７４Ｂと、を有している。
【００９８】
第１磁気ユニット７４Ａは、磁石収納筒体７１の内壁に固着した磁性体板からなる一方の磁石支持板７７と、磁石支持板７７に上下配置に取り付けるとともに水流出管６４の外面に例えばＮ磁極、Ｓ磁極を各々添着させた２個の磁石７５Ａ、７６Ａと、を具備している。
【００９９】
また、第２磁気ユニット７４Ｂは、磁石収納筒体７１の内壁に前記一方の磁石支持板７７と対向配置に固着した磁性体板からなる他方の磁石支持板７７と、他方の磁石支持板７７に上下配置に取り付けるとともに水流出管６４の外面に例えばＳ磁極、Ｎ磁極を各々添着させた２個の磁石７５Ｂ、７６Ｂと、を具備している。
【０１００】
本実施例３に係る活水器１Ｂにおいては、実施例１の場合と略同様に、磁石７５ＡのＮ磁極から、水流出管６４を経て磁石７５ＢのＳ磁極に至る磁路、及び、磁石７６ＡのＳ磁極に至る磁路が各々形成される。
【０１０１】
また、磁石７６ＢのＮ磁極から、水流出管６４を経て磁石７６ＡのＳ磁極に至る磁路、及び、磁石７５ＢのＳ磁極に至る磁路も形成される。
【０１０２】
これにより、水流に対して実施例１の活水器１の場合と略同様な磁化作用を及ぼすことができる。
【０１０３】
更に、前記一対の磁石支持板７７は、各々磁気整流作用を発揮し、活水器本体２Ｂ外への磁気漏洩も最小限に防止することができる。
本実施例３に係る活水器１Ｂによれば、活水器本体２Ｂの下段側にセラミックボール群１２を、上段側に上下２段異磁極対向配列構造の前記磁石ユニット４１Ｂを配置した構成の基に、実施例１の遠赤外線板３１による遠赤外線作用の点を除き、実施例１の活水器１の場合と略同様な作用、効果を発揮させることができる。
【産業上の利用可能性】
【０１０４】
本考案の活水器は、上述したように産業用、家庭用を問わず水を使用する広範な機器や器具に適用可能である。
【符号の説明】
【０１０５】
１    活水器
１Ａ  活水器
１Ｂ  活水器
２    活水器本体
２Ａ  活水器本体
２Ｂ  活水器本体
３    フランジ部
４    底孔
５    蓋体
６    水流出管
６ａ  ネジ、
７    パッキン
８    仕切り板
８ａ  円形孔部
９    上部収容室
１０    下部収容室
１１    水流入管
１１ａ  ネジ
１２    セラミックボール群
１３    磁石・遠赤外線板ユニット
１４    第１パンチング板
１５    第２パンチング板
２０    スケール
２１Ａ  第１磁気ボックス
２１Ｂ  第２磁気ボックス
２２    磁気ヨーク体
２３Ａ  磁石
２３Ｂ  磁石
２４Ａ  磁石
２４Ｂ  磁石
３１    遠赤外線板
３２    バルブ
３３    水使用機器
３４    配管
４１Ａ  磁石ユニット
４１Ｂ  磁石ユニット
４２    上孔
４３    底孔
４４    仕切り板
４４ａ  円形孔部
４５    上部収容室
４６    下部収容室
４７    水流入管
４７ａ  ネジ
４８    水流出管
４８ａ  ネジ
４９    第１パンチング板
５０    第２パンチング板
５１Ａ  第１磁気ボックス
５１Ｂ  第２磁気ボックス
５２    磁気ヨーク体
５３Ａ  磁石
５３Ｂ  磁石
６１    水流入管
６２    上孔
６３    底孔
６４    水流出管
６５    第１パンチング板
６６    第２パンチング板
７１    磁石収納筒体
７２    底板部
７３    中心孔
７４Ａ  第１磁気ユニット
７４Ｂ  第２磁気ユニット
７５Ａ  磁石
７５Ｂ  磁石
７６Ａ  磁石
７６Ｂ  磁石
７７    磁石支持板
【図１】
0003188955.tif 000003
【図２】
0003188955.tif 000004
【図３】
0003188955.tif 000005
【図４】
0003188955.tif 000006
【図５】
0003188955.tif 000007
【図６】
0003188955.tif 000008
【図７】
0003188955.tif 000009
【図８】
0003188955.tif 000010
【図９】
0003188955.tif 000011
【図１０】
0003188955.tif 000012
【図１１】
0003188955.tif 000013
【図１２】
0003188955.tif 000014